(57)【要約】【課題】ソフトルアーでは、ボディ部を為す軟質材に芯部を埋め込ませて一体成形しているか、ボディ部と芯部とを別個に製作し、ボディ部に芯部を後から貫通させて一体にしているため、釣針を既に取り付けた後では、その釣針が邪魔になって、ボディ部から芯部を取り外すことは難しい。【解決手段】ボディ部２３側では、芯部３の軸芯方向にほぼ直交して切込み３１を形成し、その合わせ面３３、３５を凹凸係合させる。芯部３側では、釣針２１の取付け側の線状部１５に流線型の突起１９を設ける。これにより、芯部３はボディ部２３に安定的に包まれ、ボディ部２３を付け替えたいときには、合わせ面３３、３５を開いて、芯部３と線状部１５を軸芯方向と直交する方向に動かすだけなので、釣針２１が邪魔にはならない。線状部１５側の突起１９も取出し方向に対して流線型を為しているため、ボディ部２３の食いこんでいた肉から容易に外れる。【選択図】  図２
2013208061.tif 000002
【特許請求の範囲】
【請求項１】
釣糸取付け部と釣針取付け部とを備えた剛性の芯部と、前記芯部を包み、餌を模した外形を有する軟質のボディ部とを備えたソフトルアーにおいて、前記ボディ部には前記芯部の軸芯方向にほぼ直交する方向に切り込まれて切込み部が設けられ、前記切込み部の切込み面は凹凸係合または接着することを特徴とするソフトルアー。
【請求項２】
請求項１に記載したソフトルアーにおいて、
切込み部は切込み面と交差する方向で凹凸係合していることを特徴とするソフトルアー。
【請求項３】
請求項１または２に記載したソフトルアーにおいて、
突起は釣針取付け側に対して流線型になっていることを特徴とするソフトルアー。
【請求項４】
請求項１から３のいずれかに記載したソフトルアーにおいて、
釣針取付け部には突起が設けられていることを特徴とするソフトルアー。
【請求項５】
請求項１から４のいずれかに記載したソフトルアーにおいて、
切込み部は芯部の背面側にも延びていることを特徴とするソフトルアー。
【発明の詳細な説明】
【技術分野】
【０００１】
本発明は、軟質材で構成され、魚等の生餌を模した外形を有するソフトルアーに関するものである。
【背景技術】
【０００２】
ルアーは、釣りの際に用いる疑似餌であり、魚等の生餌に代えて釣糸に付けて使用する。ルアーには木製や金属製のものもあるが、ラバー、エラストマー、プラスチック等の軟質材で構成され、生餌を模した外形を有するものが本物に近い形態や質感や動きを具現化し易いことから好まれている。
【先行技術文献】
【特許文献】
【０００３】
【特許文献１】特開２０１１−１７２５００号公報
【発明の概要】
【発明が解決しようとする課題】
【０００４】
上記したソフトタイプのルアーには、釣針や釣糸を取り付ける芯部に軟質材で構成したボディ部を全体的に被せたものがあるが、釣ろうとする魚の種類を変えたい場合等、釣りをしている状況に応じてそのボディ部を付け替えたい場合がある。
而して、このタイプのルアーでは、ボディ部を為す軟質材に芯部を埋め込ませて一体成形しているか、ボディ部と芯部とを別個に製作し、ボディ部に芯部を後から貫通させて一体にしているため、釣針を既に取り付けた後では、その釣針が邪魔になって、ボディ部から芯部を取り外すことは難しい。
【０００５】
本発明は、上記課題を解決するために、ボディ部の付替えを容易にできるよう、ボディ部や芯部の形状に工夫を凝らした、新規且つ有用なソフトルアーを提供することを、その目的とする。
【課題を解決するための手段】
【０００６】
本発明は、上記課題を解決するものであり、請求項１の発明は、釣糸取付け部と釣針取付け部とを備えた剛性の芯部と、前記芯部を包み、餌を模した外形を有する軟質のボディ部とを備えたソフトルアーにおいて、前記ボディ部には前記芯部の軸芯方向にほぼ直交する方向に切り込まれて切込み部が設けられ、前記切込み部の切込み面は凹凸係合または接着することを特徴とするソフトルアーである。
【０００７】
請求項２の発明は、請求項１に記載したソフトルアーにおいて、切込み部は切込み面と交差する方向で凹凸係合していることを特徴とするソフトルアーである。
【０００８】
請求項３の発明は、請求項１または２に記載したソフトルアーにおいて、突起は釣針取付け側に対して流線型になっていることを特徴とするソフトルアーである。
【０００９】
請求項４の発明は、請求項１から３のいずれかに記載したソフトルアーにおいて、釣針取付け部には突起が設けられていることを特徴とするソフトルアーである。
【００１０】
請求項５の発明は、請求項１から４のいずれかに記載したソフトルアーにおいて、切込み部は芯部の背面側にも延びていることを特徴とするソフトルアーである。
【発明の効果】
【００１１】
本発明のソフトルアーによれば、釣針を付けた状態でもボディ部の付替えを容易にできる。
【図面の簡単な説明】
【００１２】
【図１】本発明の第１の実施の形態に係るソフトルアーの斜視図である。
【図２】図１のソフトルアーの芯部とボディ部とに分解した斜視図である。
【図３】図２のボディ部の凹凸係合のロック状態を示す断面図である。
【図４】図２のボディ部の凹凸係合の解除状態を示す断面図である。
【図５】図１のソフトルアーのボディ部の付替え手順を示す説明図である。
【図６】本発明の第２の実施の形態に係るソフトルアーのボディ部の側面図である。
【図７】図６のボディ部の断面図である。
【発明を実施するための形態】
【００１３】
本発明の第１の実施の形態について図面に従って説明する。
図１に示すソフトルアー１はソフトタイプのものであり、魚が模されている。硬質の金属製の芯部３に軟質で弾性のエラストマー製のボディ部２３が全体的に被さっている。
【００１４】
先ず、芯部３側について説明する。
このソフトルアー１では、芯部３は錘としての機能も担わされている。
図２に示すように、芯部３の軸状部５は、断面円形で同径の直状を為しており、その外周面には軸芯方向に直交する方向に環状の凸部７が形成されている。この環状凸部７は軸芯方向に同じ間隔をおいて複数形成されている。
軸状部５の軸芯方向一端側には魚の頭部を模したヘッド部９が連設されている。このヘッド部９はその正面側から見ると、左右対称になっており、後側は垂直に切断されたような平面１１になっている。ヘッド部９には釣糸の取付け用に頭上側と下顎側にそれぞれ釣糸取付け部１３が設けられている。各釣糸取付け部１３はＵ字状金具の二つの遊端がヘッド部９に連結されて閉回路状に形成されている。
【００１５】
軸状部５の軸芯方向他端側は先細りの円錐状になっており、その先端から針金製の線状部１５が延出している。この線状部１５は軸状部５から若干傾斜した状態で直状に延びており、その先端側は折り返されてフック部１７となっている。線状部１５の直状部分には突起１９が連結されている。この突起１９はフック部１７側に対して流線型になっている。突起１９は線状部１５を挟んで対向した状態で一対設けられて、両翼状を為している。一対の突起１９、１９が間隔をおいて２組設けられている。
フック部１７には、釣針２１のアイが通されて取付けられている。
【００１６】
次に、ボディ部２３側について説明する。
図２に示すように、ボディ部２３は上記した芯部３とは別個に造形されている。
ボディ部２３は、魚の胴部と尾部とを模して造形されている。ボディ部２３は、一対の合わせ型に流動化したボディ材料を流し込み、凝固した後に型を開いて取出すことにより成形したものであり、両型の合わせ目であるパーティングライン２５が正中線上にできている。外面にはひれが付いているだけでなく、うろこ様に凹凸が造られている。ボディ部２３の胴部側の前方は垂直に切断したような端面２７になっている。
【００１７】
ボディ部２３は肉部も含んだ中実状になっているが、中央部には細長い空洞２９が形成されている。この空洞２９は上記した芯部３の軸状部５に対応してそれを受入る大きさになっている。
【００１８】
符号３１は切込みを示す。この切込み３１は腹側のパーティングライン２５から上記した空洞２９側に向かって真っすぐに形成されており、その内方側先端で空洞２９と合流している。切込み３１は頭部側の端面２７から腹部の中間辺りまで及んでおり、腹部側では切込み３１の切込み端３２は内方に向かって膨出する円弧状になって、空洞２９の端部とパーティングライン２５とを結んでいる。
図３、図４に示すように、切込み３１によって平らな合わせ面（切込み面）３３、３５が形成されている。
【００１９】
合わせ面３３には、凸条３７が形成されている。この凸条３７の断面は頂面が合わせ面３３と平行で平らになっており、両側面側は合わせ面３３側に向かって幅狭のテーパ状になってテーパ壁３９を構成している。凸条３７は空洞２９に平行に延びている。
一方、合わせ面３５には、凹条４１が形成されている。この凹条４１の断面は底面が合わせ面３５と平行で平らになっており、両側面側は合わせ面３５側に向かって幅広のテーパ状になってテーパ壁４３を構成している。凹条４１は空洞２９に平行に延びている。
【００２０】
凸条３７と凹条４１は共に弾性変形可能になっているので、弾性的に拡げられた凹条４１に弾性的に縮められた凸条３７が嵌り込んで弾性復元した状態で係合する。また、弾性的に拡げられた凹条４１から弾性的に縮められた凸条３７が外れて係合が解除される。凸条３７と凹条４１にはテーパ壁３９、４３が形成されており、腹部乃至尾部に至る長手方向だけでなく、それに交差する腹部を横断する方向でも係止作用が働いている。
図３は合わせ面３３、３５が合わされ凹凸係合して、空洞２９が閉じられた状態を示したものであり、図４は合わせ面３３、３５が離され凹凸係合も解除されて、空洞２９が開放された状態を示したものである。
【００２１】
図１に示すように、最終的には、ソフトルアー１では、ボディ部２３に芯部３が差し込まれた状態で、合わせ面３３、３５が合わされ凸条３７と凹条４１が凹凸係合されている。
芯部３側のヘッド部９は露出しており、その平面１１がボディ部２３の端面２７に合わさっている。芯部３の軸状部５はボディ部２３の空洞２９を占めており、環状凸部７が空洞２９の周囲にあるボディ部２３の肉に食い込んでいる。線状部１５は合わせ面３３、３５の間を通って腹部側の切込み３１の切込み端３２付近から外側に引き出されている。線状部１５の突起１９はボディ部２３の肉に食い込んでいる。この線状部１５の突起１９と軸状部５の環状凸部７の肉への食い込みにより、芯部３のヘッド部９側へのズレが阻止されている。
【００２２】
ボディ部２３は芯部３全体を包んでおり、切込み部を為す切込み３１は芯部３の軸芯方向にほぼ直交している。従って、切込み３１を開いて、合わせ面３３、３５を離すことにより、芯部３の軸芯方向側が開かれる。
【００２３】
次に、ボディ部２３Ａからボディ部２３Ｂへの付け替え手順を説明する。
図５（１）に示すボディ部２３Ａで包まれたソフトルアー１を、図５（２）に示すように、切込み３１を端面２７側から開いて、合わせ面３３、３５を大きく限界まで離す。そして、図５（３）に示すように、ボディ部２３Ａに包まれていた芯部３と線状部１５を合わせ面３３、３５の間から外に取出す。取出す際には芯部３と線状部１５を軸芯方向と直交する方向に動かすだけなので、フック部１７には釣針２１が取り付けられていても邪魔にはならない。線状部１５側の突起１９も取出し方向に対して流線型を為しているため、ボディ部２３の食いこんでいた肉から容易に外れる。
【００２４】
そして、取出した後には、図５（４）に示すように、別のボディ部２３Ｂ内に芯部３の軸状部５と線状部１５を入れて、凹凸係合させることで付け替えは完了する。
取外す際には、ボディ部２３Ａに永久変形をもたらすような力を与える必要はないので、素材の強度にもよるが、繰り返し使用することも可能である。
【００２５】
次に、第２の実施の形態に係るソフトルアーについて説明する。
図６では、ボディ部４５に対して芯部を比較的長くしかも太いものを想定している。この芯部をボディ部４５から取出し易くするように、切込み４７も深くなっており、その切込み端４８は空洞４９を超えて内方に向かっている。従って、切込み４７が芯部の背面側にも延びていることになり、合わせ面５１、５３は大きく開くことになり、芯部が取出し易くなっている。また、切込み４７は腹部全体から尾部の一部までかかっている。
【００２６】
以上、本発明の実施の形態について詳述してきたが、具体的構成は、これらの実施の形態に限られるものではなく、本発明の要旨を逸脱しない範囲における設計の変更などがあっても発明に含まれる。
例えば、上記した第１、第２の実施の形態に係るソフトルアーは、いずれも釣糸取付け部を芯部のボディ部の尾部側の端に設けていたが、中間でもよい。また、糸取付け部は腹部から外に引き出していたが、尾部から外に引き出してもよい。さらに、芯部側のヘッド部を外に出して疑似魚の頭部にしていたが、ボディ部で全体を包んでもよい。
【００２７】
釣針の種類は限定されない。実施の形態に示したトレブルフックや三本針は従来のタイプのボディ部からは容易に取出すことができず、本発明のボディ部で初めて容易に取出すことができているが、これに限定されず、シングルフックのように、従来のタイプのボディ部からでも容易に取り外すことができた釣針を使用したものも本発明に含まれる。この意味で、本発明は、釣針の種類を問わず、汎用的に使用できるボディ部を備えたものであると言える。
また、環状凸部はズレ防止のために設けられたものであり、その機能が果せるならば形状は限定されず、例えば棘状のものでもよい。
【００２８】
上記の実施の形態では、切込み部はテーパ壁を形成して切込み面と直交する方向と平行な方向の二方向で凹凸係合しているが、テーパ壁に限定されず、例えば、凹部と凸部を歯状にしてよい。いずれの形状でも、切込み面と交差する二方向側で凹凸係合していればよい。
また、上記した凹凸係合はボディ部に芯部をセットしたときに、ボディ部がめくれないようにするために取り入れたものであり、ボディ部が再利用できる点が有利であるが、使い捨てで良ければ凹凸係合でなくともよく、例えば、一方の切込み面の縁側に両面テープや接着剤を施しておき、接着により切込み面どうしを合わせてめくれないようにすることも可能である。使用前には、両面テープや接着剤の接着面に離型紙を被せておき、ボディ部に芯部をセットする際には、その離型紙を剥がして接着させればよい。
【産業上の利用可能性】
【００２９】
本発明は、ルアーの製造業において利用可能である。
【符号の説明】
【００３０】
１……ソフトルアー
３……芯部                          ５……軸状部
７……環状凸部                      ９……ヘッド部
１１……（ヘッド部の）平面          １３……釣糸取付け部
１５……線状部                      １７……フック部
１９……突起                        ２１……釣針
２３……ボディ部（第１の実施の形態）
２５……パーティングライン          ２７……（ボディ部の）端面
２９……空洞                        ３１……切込み
３２……切込み端                    ３３、３５……合わせ面
３７……凸条                        ３９……（凸条の）テーパ壁
４１……凹条                        ４３……（凹条の）テーパ壁
４５……ボディ部（第２の実施の形態）
４７……切込み                      ４８……切込み端
４９……空洞                        ５１、５３……合わせ面
【図１】
2013208061.tif 000003
【図２】
2013208061.tif 000004
【図３】
2013208061.tif 000005
【図４】
2013208061.tif 000006
【図５】
2013208061.tif 000007
【図６】
2013208061.tif 000008
【図７】
2013208061.tif 000009